【手続補正書】
【提出日】平成16年5月31日(2004.5.31)
【手続補正１】
【補正対象書類名】明細書
【補正対象項目名】発明の名称
【補正方法】変更
【補正の内容】
【発明の名称】通信システム、通信装置及びそれらの制御方法
【手続補正２】
【補正対象書類名】明細書
【補正対象項目名】特許請求の範囲
【補正方法】変更
【補正の内容】
【特許請求の範囲】
【請求項１】
第１の通信回線を介した通信が可能な第１の通信装置と、第２の通信装置を有する通信システムにおいて、
前記第１の通信装置は、通信する情報を入力するための第１の入力手段を有し、
前記第２の通信装置は、通信する情報を入力するための第２の入力手段を有し、
前記第１の通信装置と前記第２の通信装置との接続関係に応じて、前記第１の通信回線を介して通信される情報を、前記第１の入力手段から入力された情報あるいは前記第２の入力手段から入力された情報に選択的に切り替えることを特徴とする通信システム。
【請求項２】
請求項１において、
前記第２の通信装置は、第２の通信回線を介した通信が可能であることを特徴とする通信システム。
【請求項３】
請求項１において、
前記第１の通信装置と前記第２の通信装置との接続関係は、電気的な接続関係もしくは物理的な接続関係であることを特徴とする通信システム。
【請求項４】
請求項１において、
前記第１の通信装置が前記第１の入力手段または前記第２の入力手段の一方の入力手段から入力された情報を前記第１の通信回線を介して通信している最中に、前記第１の通信装置と前記第２の通信装置との接続関係が所定の関係になると、他方の入力手段から入力された情報を前記第１の通信回線を介して通信するように切り替えることを特徴とする通信システム。
【請求項５】
請求項１において、
前記第１の通信装置と前記第２の通信装置との接続関係に応じて、前記第２の通信装置から前記第１の通信装置に電源を供給する供給手段を有することを特徴とする通信システム。
【請求項６】
請求項５において、
前記供給手段は、前記第１の通信装置が通信を行っていない場合に電源を供給することを特徴とする通信システム。
【請求項７】
請求項２において、
前記第２の通信装置は、前記第２の通信回線を介した通信を行う場合に使用するエコーキャンセラを有し、
前記第１の通信装置が前記第２の入力手段から入力された情報を前記第１の通信回線を介して通信する場合は、前記第２の入力手段から入力された情報を前記エコーキャンセラを介してから前記第１の通信装置に出力することを特徴とする通信システム。
【請求項８】
第１の通信回線を介した通信が可能な第１の通信装置において、
通信するための情報を入力するための第１の入力手段と、
通信するための情報を入力するための第２の入力手段を有する第２の通信装置と接続する接続手段と、
前記第１の通信装置と前記第２の通信装置との接続関係を判別する判別手段と、
前記判別手段による判別に応じて、前記第１の通信回線を介して通信される情報を、前記第１の入力手段から入力された情報あるいは前記第２の手段から入力された情報に切り替えるための切替手段と、を有することを特徴とする第１の通信装置。
【請求項９】
請求項８において、
前記判別手段は、前記第１の通信装置と前記第２の通信装置との電気的な接続関係もしくは物理的な接続関係を判別することを特徴とする第１の通信装置。
【請求項１０】
請求項８において、
前記切替手段は、前記第１の通信装置が前記第１の入力手段または前記第２の入力手段の一方の入力手段から入力された情報を前記第１の通信回線を介して通信している最中に、前記第１の通信装置と前記第２の通信装置との接続関係が所定の関係になると、他方の入力手段から入力された情報を前記第１の通信回線を介して通信するように切り替えることを特徴とする第１の通信装置。
【請求項１１】
請求項８において、
前記判別手段による判別に応じて、前記第２の通信装置から前記第１の通信装置に電源を供給する供給手段を有することを特徴とする第１の通信装置。
【請求項１２】
請求項１１において、
前記供給手段は、前記第１の通信装置が通信を行っていない場合に電源を供給することを特徴とする第１の通信装置。
【請求項１３】
請求項８において、
前記第２の通信装置は、第２の通信回線を介した通信を行う場合に使用するエコーキャンセラを有し、
前記第１の通信装置は、前記第２の入力手段から入力された情報を前記第１の通信回線を介して通信する場合は、前記エコーキャンセラを介してから入力された情報を前記第１の通信回線を介して通信することを特徴とする第１の通信装置。
【請求項１４】
通信装置において、
第１の通信回線を介した第１の通信が可能であり、通信するための情報を入力するための第１の入力手段を有する第１の通信装置と接続する接続手段と、
通信するための情報を入力するための第２の入力手段と、
前記第１の通信装置と前記第２の通信装置との関係を判別する判別手段と、
前記判別手段による判別に応じて、前記第２の入力手段から入力された情報を前記第１の通信装置に出力する出力手段と、を有することを特徴とする第２の通信装置。
【請求項１５】
請求項１４において、
第２の通信回線を介した通信を行う場合に使用するエコーキャンセラを有し、
前記第１の通信装置に出力する情報は、前記エコーキャンセラを介して出力することを特徴とする第２の通信装置。
【請求項１６】
無線通信する第１の通信装置と、有線通信する第２の通信装置とを備えた通信システムの制御方法であって、
前記第１の通信装置と第２の通信装置とを接続する接続工程と、
前記接続に応じて、前記無線通信される情報の入出力先を、前記第１の通信装置の入力部から前記第２の通信装置の入力部に変更する工程とを有することを特徴とする制御方法。
【請求項１７】
通信装置の制御方法において、
前記通信装置と他の通信装置との接続状態に応じて、無線回線を介して通信される情報の入出力先を、前記通信装置の入力部から前記他の通信装置の入力部に変更することを特徴とする制御方法。
【手続補正３】
【補正対象書類名】明細書
【補正対象項目名】０００１
【補正方法】変更
【補正の内容】
【０００１】
【発明の属する技術分野】
本発明は、通信システム、通信装置及びそれらの制御方法に関する。
【手続補正４】
【補正対象書類名】明細書
【補正対象項目名】０００９
【補正方法】変更
【補正の内容】
【０００９】
そこで、本発明は、例えば、携帯通信装置等を用いて通信する場合でも、屋内ではファクシミリなどの通信装置を使用して品質の良いハンズフリー通話を行うことができるようにするために、通信装置間の接続状態に応じて、情報入力部を切り替えるようにする。
【手続補正５】
【補正対象書類名】明細書
【補正対象項目名】００１０
【補正方法】変更
【補正の内容】
【００１０】
【課題を解決するための手段】
本発明は、第１の通信回線を介した通信が可能な第１の通信装置と、第２の通信装置を有する通信システムにおいて、前記第１の通信装置は、通信する情報を入力するための第１の入力手段を有し、前記第２の通信装置は、通信する情報を入力するための第２の入力手段を有し、前記第１の通信装置と前記第２の通信装置との接続関係に応じて、前記第１の通信回線を介して通信される情報を、前記第１の入力手段から入力された情報あるいは前記第２の入力手段から入力された情報に選択的に切り替えることを特徴とする。
【手続補正６】
【補正対象書類名】明細書
【補正対象項目名】００１１
【補正方法】変更
【補正の内容】
【００１１】
また、第１の通信回線を介した通信が可能な第１の通信装置において、通信するための情報を入力するための第１の入力手段と、通信するための情報を入力するための第２の入力手段を有する第２の通信装置と接続する接続手段と、前記第１の通信装置と前記第２の通信装置との接続関係を判別する判別手段と、前記判別手段による判別に応じて、前記第１の通信回線を介して通信される情報を、前記第１の入力手段から入力された情報あるいは前記第２の手段から入力された情報に切り替えるための切替手段と、を有することを特徴とする。
【手続補正７】
【補正対象書類名】明細書
【補正対象項目名】００１２
【補正方法】変更
【補正の内容】
【００１２】
また、通信装置において、第１の通信回線を介した第１の通信が可能であり、通信するための情報を入力するための第１の入力手段を有する第１の通信装置と接続する接続手段と、通信するための情報を入力するための第２の入力手段と、前記第１の通信装置と前記第２の通信装置との関係を判別する判別手段と、前記判別手段による判別に応じて、前記第２の入力手段から入力された情報を前記第１の通信装置に出力する出力手段と、を有することを特徴とする。
【手続補正８】
【補正対象書類名】明細書
【補正対象項目名】００１３
【補正方法】変更
【補正の内容】
【００１３】
また、無線通信する第１の通信装置と、有線通信する第２の通信装置とを備えた通信システムの制御方法であって、前記第１の通信装置と第２の通信装置とを接続する接続工程と、前記接続に応じて、前記無線通信される情報の入出力先を、前記第１の通信装置の入力部から前記第２の通信装置の入力部に変更する工程とを有することを特徴とする。
【手続補正９】
【補正対象書類名】明細書
【補正対象項目名】００１４
【補正方法】変更
【補正の内容】
【００１４】
また、通信装置の制御方法において、前記通信装置と他の通信装置との接続状態に応じて、無線回線を介して通信される情報の入出力先を、前記通信装置の入力部から前記他の通信装置の入力部に変更することを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
【発明の実施の形態】
本発明の通信システム、通信装置及びそれらの制御方法の実施の形態について説明する。本実施形態では、通信装置は、無線電話装置であるＰＨＳ電話機、ファクシミリ装置に適用される。
【手続補正２０】
【補正対象書類名】明細書
【補正対象項目名】００７２
【補正方法】変更
【補正の内容】
【００７２】
以上のように、無線電話装置本体を小型化することができて屋外での携帯を容易にでき、屋内ではファクシミリなどの通信装置を使用して品質の良いハンズフリー通話を行うことができる。したがって、使用状況によって、無線電話装置の使い勝手を向上できる。
【手続補正２１】
【補正対象書類名】明細書
【補正対象項目名】００７４
【補正方法】変更
【補正の内容】
【００７４】
また、無線電話装置としてのメリットを損なわず、基地局を介して通話ができるとともに、この無線電話装置をファクシミリなどの通信装置本体に接続して使用する場合、このファクシミリ装置に内蔵されている通話手段、電源回路およびエコーキャンセラを使用した通信を行うことができる。
【発明の効果】
以上のように本発明によれば、携帯通信装置等を用いて通信する場合でも、屋内ではファクシミリなどの通信装置を使用して品質の良いハンズフリー通話を行うことができる等、通信装置の使い勝手を向上させることができる。